(57)【特許請求の範囲】
【請求項１】
一対の対向する第一の側壁（３、３３、６３）どうしの間に、第一の底壁（８、３８、６８）を形成し、
一対の対向する第二の側壁（４、３４、６４）どうしの間に、第二の底壁（９、３９、６９）を形成し、
前記第一の側壁（３、３３、６３）と前記第二の側壁（４、３４、６４）とは、それぞれお互いに対向する一端部において、略Ｌ字状となるように連結されており、
前記第一の底壁（８、３８、６８）と前記第二の底壁（９、３９、６９）とは、それぞれお互いに対向する一端部において、略Ｌ字状となるように連結されており、
前記第一の底壁（８、３８、６８）に対向して、前記一対の対向する第一の側壁（３、３３、６３）どうしの間に、第一の開口部（６、３６、６６）を形成し、
前記第二の底壁（９、３９、６９）に対向して、前記一対の対向する第二の側壁（４、３４、６４）どうしの間に、第二の開口部（７、３７、６７）を形成し、
前記第一の側壁（３、３３、６３）の内壁面に、針の係止部（５、３５、６５）を形成し、
前記第二の底壁（９、３９、６９）に開口部（１１、４１、７１）を形成したことを特徴とする翼付湾曲針用の誤刺防止針カバー（１、３１、６１）。
【請求項２】
前記針の係止部（５、３５、６５）は、凸部であることを特徴とする請求項１に記載の誤刺防止針カバー（１、３１、６１）。
【請求項３】
前記第二の底壁（９、３９、６９）の開口部（１１、４１、７１）は、略Ｌ字状、略円形状、楕円状、矩形状、正方形状のいずれか一の形状に形成したことを特徴とする請求項１または請求項２に記載の誤刺防止針カバー（１、３１、６１）。
【請求項４】
前記第一の底壁（８、３８、６８）及び/又は前記第二の底壁（９、３９、６９）に溝部（７０）を形成した、ことを特徴とする請求項１から請求項３のいずれか一項に記載の誤刺防止針カバー（１、３１、６１）。
【請求項５】
翼付湾曲針（２１、５１）と、請求項１から請求項４のいずれか一項に記載の誤刺防止針カバー（１、３１、６１）とを有し、
前記翼付湾曲針（２１、５１）は、湾曲針（２２、５２）と針基（２３、５３）とチューブ（２６、５６）とを有し、
前記針基（２３、５３）の前方に、前記湾曲針（２２、５２）の基端部を装着し、前記針基（２３、５３）の側部に翼（２５、５５）を装着し、
前記針基（２３、５３）の後方に、チューブ（２６、５６）を装着し、
当該チューブ（２６、５６）を、前記誤刺防止針カバー（１、３１、６１）の開口部（１１、４１、７１）に通して、前記誤刺防止針カバー（１、３１、６１）が、前記チューブ（２６、５６）の長さ方向に亘って移動できるように装着し、
前記湾曲針（２２、５２）の使用前または使用後において、前記翼（２５、５５）を前記誤刺防止針カバー（１、３１、６１）の前記第二の側壁（４、３４、６４）の間に折りたたんで固定できるとともに前記湾曲針（２２、５２）の使用後には、前記湾曲針（２２、５２）を前記係止部（５、３５）に固定して、前記湾曲針（２２、５２）が再び前記誤刺防止針カバー（１、３１、６１）の外に露出しないように前記誤刺防止針カバー（１、３１、６１）内に固定できるように形成したことを特徴とする薬液注入装置（２０、５０）。
【発明の詳細な説明】
【０００１】
【発明の属する技術分野】
本発明は、ポート  アクセス  インフュージョン  セット（ＰＯＲＴ  ＡＣＣＥＳＳ  ＩＮＦＵＳＩＯＮ  ＳＥＴ、ＰＡＩＳと称される）（以下薬液注入装置という）を構成する翼付湾曲針（針の穿刺部が針基に対して９０度曲がった形状をしている）用の誤刺防止針カバー及び該誤刺防止針カバーを備えた翼付湾曲針を有する薬剤注入装置に関するもので、使用時の操作性や安全性を改良したものである。前記ポートとは患者の体内に埋め込まれたものであり、抗癌剤等の薬液を注入するものである。
【０００２】
【従来技術及び発明が解決しようとする課題】
図１３は、現在使用されている薬液注入装置１５０の概略図である。薬液注入装置１５０は針基１５３の前方に湾曲針１５２、側部に翼１５５を装着した翼付湾曲針１５１と前記針基１５３の後方にチューブ１５６等を装着することにより構成されている。
翼付湾曲針１５１には、湾曲針１５２の針先の保護や湾曲針１５２の廃棄時に針先が露出しないように円筒形状の針カバー１５４が装着されている。
しかしながら、翼付湾曲針１５１の使用前後に湾曲針１５２に前記針カバー１５４を装着するのみでは、使用開始時に針カバー１５４を外した後に紛失したり、また使用後に患者から湾曲針１５２を抜き取って、針カバー１５４で再度被冠する際に、患者または作業者の身体を誤刺してしまう虞がある。また針カバー１５４をしないで湾曲針１５２をそのまま廃棄しようとすれば、患者の血液が付着した湾曲針１５２が作業者や廃棄作業者等を誤刺した場合、血液感染してしまう虞がある。
また使用前は翼１５５を紙テープＴ等で固定しているため、使用開始時に、これらの紙テープ等を取り外す作業が面倒であった。
そこで本発明者らは、薬液注入装置を構成する翼付湾曲針の使用時の操作性や安全性の改良について鋭意検討を重ねた結果、次の発明に到達した。
【０００３】
【課題を解決するための手段】
［１］本発明は、一対の対向する第一の側壁（３、３３、６３）どうしの間に、第一の底壁（８、３８、６８）を形成し、
一対の対向する第二の側壁（４、３４、６４）どうしの間に、第二の底壁（９、３９、６９）を形成し、
前記第一の側壁（３、３３、６３）と前記第二の側壁（４、３４、６４）とは、それぞれお互いに対向する一端部において、略Ｌ字状となるように連結されており、
前記第一の底壁（８、３８、６８）と前記第二の底壁（９、３９、６９）とは、それぞれお互いに対向する一端部において、略Ｌ字状となるように連結されており、
前記第一の底壁（８、３８、６８）に対向して、前記一対の対向する第一の側壁（３、３３、６３）どうしの間に、第一の開口部（６、３６、６６）を形成し、
前記第二の底壁（９、３９、６９）に対向して、前記一対の対向する第二の側壁（４、３４、６４）どうしの間に、第二の開口部（７、３７、６７）を形成し、
前記第一の側壁（３、３３、６３）の内壁面に、針の係止部（５、３５、６５）を形成し、
前記第二の底壁（９、３９、６９）に開口部（１１、４１、７１）を形成した翼付湾曲針用の誤刺防止針カバー（１、３１、６１）を提供する。
［２］本発明は、前記針の係止部（５、３５、６５）は、凸部である［１］に記載の誤刺防止針カバー（１、３１、６１）を提供する。
［３］本発明は、前記第二の底壁（９、３９、６９）の開口部（１１、４１、７１）は、略Ｌ字状、略円形状、楕円状、矩形状、正方形状のいずれか一の形状に形成した［１］または［２］に記載の誤刺防止針カバー（１、３１、６１）を提供する。
［４］本発明は、前記第一の底壁（８、３８、６８）及び/又は前記第二の底壁（９、３９、６９）に溝部（７０）を形成した、［１］から［３］のいずれか一項に記載の誤刺防止針カバー（１、３１、６１）を提供する。
［５］本発明は、翼付湾曲針（２１、５１）と、［１］から［４］のいずれか一項に記載の誤刺防止針カバー（１、３１、６１）とを有し、
前記翼付湾曲針（２１、５１）は、湾曲針（２２、５２）と針基（２３、５３）とチューブ（２６、５６）とを有し、
前記針基（２３、５３）の前方に、前記湾曲針（２２、５２）の基端部を装着し、前記針基（２３、５３）の側部に翼（２５、５５）を装着し、
前記針基（２３、５３）の後方に、チューブ（２６、５６）を装着し、
当該チューブ（２６、５６）を、前記誤刺防止針カバー（１、３１、６１）の開口部（１１、４１、７１）に通して、前記誤刺防止針カバー（１、３１、６１）が、前記チューブ（２６、５６）の長さ方向に亘って移動できるように装着し、
前記湾曲針（２２、５２）の使用前または使用後において、前記翼（２５、５５）を前記誤刺防止針カバー（１、３１、６１）の前記第二の側壁（４、３４、６４）の間に折りたたんで固定できるとともに前記湾曲針（２２、５２）の使用後には、前記湾曲針（２２、５２）を前記係止部（５、３５）に固定して、前記湾曲針（２２、５２）が再び前記誤刺防止針カバー（１、３１、６１）の外に露出しないように前記誤刺防止針カバー（１、３１、６１）内に固定できるように形成した薬液注入装置（２０、５０）を提供する。
【０００４】
【発明の実施の形態】
図１は本発明の翼付湾曲針用の誤刺防止針カバー１（以下針カバー１と略記する）の一例を示す概略図［（Ａ）は正面図、（Ｂ）は平面図、（Ｃ）は底面図、（Ｄ）は左側面図、（Ｅ）は右側面図］、図２は図１の針カバー１の斜視図［（Ａ）は全体図、（Ｂ）は（Ａ）のＡ−Ａ’断面図］、図３は図１（図２）の針カバー１を装着した翼付湾曲針２１を有する薬液注入装置２０の概略図、図４［（Ａ）から（Ｅ）］は本発明の針カバー１と該針カバー１を装着した翼付湾曲針２１を有する薬液注入装置２０の使用状態図、図５は図４の一部拡大図［（Ａ）は図４（Ｄ）、（Ｂ）は図４（Ｅ）にそれぞれ対応する、（Ｃ）は（Ｂ）のＢ−Ｂ’断面図］である。
【０００５】
本発明の針カバー１は、硬質ないし半硬質製合成樹脂よりなり、例えば射出成形により一体成形された略Ｌ字状のハウジング２より構成されている。
本発明で略Ｌ字状とは、湾曲針（針の穿刺部が針基に対して略９０度曲がった形状をしている）の形状と実質的に一致する形状であり、完全なＬ字のものはもちろん、若干変形したＬ字のものも含む。
ハウジング２は、一対の対向する第一の側壁３どうしの間に、第一の底壁８を形成し、一対の対向する第二の側壁４どうしの間に、第二の底壁９を形成している。
第一の側壁３と第二の側壁４とは、それぞれお互いに対向する一端部において、略Ｌ字状となるように折り曲げられて連結されている。
第一の底壁８と第二の底壁９とは、それぞれお互いに対向する一端部において、略Ｌ字状となるように折り曲げられて連結されている。
第一の底壁８に対向して、一対の対向する第一の側壁３どうしの間に、第一の開口部６を形成している。
第二の底壁９に対向して、一対の対向する第二の側壁４どうしの間に、第二の開口部７を形成している。
さらに詳述すれば、前記ハウジング２は、比較的長い一対の対向する第一の側壁３と比較的短い一対の対向する第二の側壁４を略Ｌ字状に一体に形成し、さらに前記第一の側壁３と前記第二の側壁４の間に比較的長い第一の底壁８と比較的短い第二の底壁９を略Ｌ字状に一体に形成している。
また前記第一の底壁８と前記第二の底壁９に対向する前記第一の側壁３と前記第二の側壁４の間に相互に連通する比較的長い第一の開口部６と比較的短い第二の開口部７を形成している。前記比較的長い第一の底壁８と比較的短い第二の底壁９はそれぞれ略Ｌ字状に形成されている。
そして前記第一の底壁８は長い底壁８Ｌと短い底壁８Ｓを有し、前記第二の底壁９は実質的に同じ長さの二つの底壁を有している。
【０００６】
前記第一の側壁３の内壁面には針の係止部５を形成している。該針の係止部５とは具体的には凸部である。該凸部５は板状に形成され、前記第一の底壁８（長い底壁８Ｌ）方向へ、すなわち、若干下向きに突設されている。（図１、図２、図５参照。なお前記凸部５は、前記第一の開口部６方向へ、若干上向きに突設しても良い。）そして、一方の第一の側壁３の内壁面に二箇所、これに対向する他方の第一の側壁３の内壁面に一箇所、交互に重ならないように配置されている。
該凸部５の形態は図１、図２、図５に示した形態またはこれらに類似した形態に限定されることはなく、要するに針を係止できる形態であれば、全ての形態を採用することができる。また該凸部５は一方の第一の側壁３の内壁面のみに一箇所または複数箇所形成しても良いし、両方の第一の側壁３の内壁面に一箇所または複数箇所形成しても良い。要するに針を係止できるようにその形態に合わせて一箇所または複数箇所形成することができる。
さらに前記第二の底壁９の実質的に同じ長さに形成された二つの底壁に亘って略Ｌ字状の開口部１１を形成している。（なお前記第二の底壁９の二つの底壁は必ずしも実質的に同じ長さに形成しなくても良く、一方を比較的長く、他方を比較的短く形成しても良い。）
【０００７】
本発明の前記針カバー１は、図３のように、針基２３の前方に湾曲針２２、側部に翼２５を装着した翼付湾曲針２１に装着される。湾曲針２２には針カバー２４が被冠されている。翼付湾曲針２１を有する薬液注入装置２０には、翼付湾曲針２１の針基２３の後方にチューブ２６が接続され、チューブ２６の後端にコネクタ２８が接続され、該コネクタ２８にロックキャップ２９が装着されている。
チューブ２６の途中には、必要によりクランプ２７が装着されている。
針カバー１は、前記チューブ２６に開口部１１を通して、前記針基２３から前記チューブ２６の長さ方向に亘って移動でき、チューブ２６の外周に沿って回転でき、チューブ２６の長さ方向に向きを変えることができるように装着される。
前記翼２５は前記ハウジング２の前記比較的短い第二の開口部７を経て、前記第二の側壁４の間に折りたたんで固定する。
【０００８】
次に本発明の針カバー１及び針カバー１を装着した翼付湾曲針２１を有する薬液注入装置２０の使用方法の一例について図４を参照しながら説明する。
図４（Ａ）は包材から薬液注入装置２０を取り出した状態で、翼２５を第二の側壁４の間に折りたたんで固定した状態である。図４（Ｂ）のようにロックキャップ２９を外し、針カバー１をコネクタ２８方向へスライドさせ、前記翼２５を前記第二の側壁４から外す。針カバー２４を湾曲針２２から外して、湾曲針２２をポート（図示せず）へ穿刺する。使用後に図４（Ｃ）のように針カバー１をチューブ２６の外周に沿って下方に１８０度反転させ、さらに図４（Ｄ）のように針カバー１の第一の開口部６の向きを下から湾曲針２２方向に９０度変えて［（注）開口部１１は略Ｌ字状に形成されているので、このような方向転換が可能である］、チューブ２６に沿って、針基２３方向にスライドさせる。図４（Ｅ）のように翼２５を第二の側壁４の間に折りたたんで固定し、湾曲針２２を係止部５（凸部５）に固定する。すなわち、湾曲針２２は、複数の凸部５（一方の第一の側壁３の内壁面に二箇所、これに対向する他方の第一の側壁３の内壁面に一箇所、交互に重ならないように配置されている）の天面から、左右の凸部５の端部を前記第一の底壁８（長い底壁８Ｌ）方向へ、すなわち、下向きへ押し下げながら、左右の凸部５を経て、凸部５の底面と前記第一の底壁８（長い底壁８Ｌ）の間に固定される。
以上のように、湾曲針２２の使用前後において前記翼２５を前記ハウジング２の第二の側壁４の間に折りたたんで固定できるとともに湾曲針２２の使用後には前記係止部５に固定して、湾曲針２２が再びハウジング２の外に露出しないようにハウジング２内に固定できる。
【０００９】
図６は、本発明の翼付湾曲針用の誤刺防止針カバーの一例を示す概略図［（Ａ）は正面図、（Ｂ）は平面図、（Ｃ）は底面図、（Ｄ）は左側面図、（Ｅ）は右側面図］、図７は図６の誤刺防止針カバーの斜視図［（Ａ）は全体図、（Ｂ）は（Ａ）Ａ−Ａ’断面図］、図８は図６（図７）の誤刺防止針カバーを装着した翼付湾曲針を有する薬液注入装置の概略図、図９［（Ａ）から（Ｄ）］は本発明の翼付湾曲針用の誤刺防止針カバーと該誤刺防止針カバーを装着した翼付湾曲針を有する薬液注入装置の使用状態図、 図１０は図９の一部拡大図［（Ａ）は図９（Ｃ）、（Ｂ）は図９（Ｄ）にそれぞれ対応する、（Ｃ）は（Ｂ）のＢ−Ｂ’断面図］である。
図６の本発明の翼付湾曲針用の誤刺防止針カバー３１（以下針カバー３１と略記する）は、前記図１の針カバー１の前記第二の底壁９の実質的に同じ長さに形成された二つの底壁に亘って略Ｌ字状に形成された開口部１１に代えて、第二の底壁３９を構成する二つの底壁の一方（チューブを挿通する側）のみに、例えば略円形状（楕円状も含む）、矩形状（正方形状も含む）（要するにチューブが挿通できれば形状は何でも良い）の開口部４１を形成した点が異なるのみで、構成材料、その他の形態、同形態の定義は実質的に同じであるから、詳細な説明は省略する。
【００１０】
本発明の前記針カバー３１も、図８のように、図３と形態が実質的に同様の湾曲針５１とこれを有する薬液注入装置５０に装着される。図１の前記針カバー１は、前記チューブ２６に略Ｌ字状の開口部１１を通して、前記針基２３から前記チューブ２６の長さ方向に亘って移動でき、チューブ２６の外周に沿って回転でき、チューブ２６の長さ方向に向きを変えることができるように装着されるが、本発明の図６の前記針カバー３１は、薬液注入装置５０のチューブ５６を第二の底壁３９を構成する二つの底壁の一方（チューブを挿通する側）のみに形成した円形の開口部４１に通しているので、湾曲針５１の針基５３と薬液注入装置５０のチューブ５６の長さ方向の間に亘って移動できるのみである。
湾曲針５１の翼５５はハウジング３２の前記比較的短い第二の開口部３７を経て、前記第二の側壁３４の間に折りたたんで固定することができる。
【００１１】
次に本発明の針カバー３１及び針カバー３１を装着した翼付湾曲針５１を有する薬液注入装置５０の使用方法の一例について図９を参照しながら説明する。
図９（Ａ）は包材から薬液注入装置５０を取り出した状態で、薬液注入装置５０のチューブ５６を針カバー３１の第二の底壁３９を構成する二つの底壁の一方（チューブを挿通する側）のみに形成した円形の開口部４１に通している。翼５５は折りたたんで例えば紙テープ等（図示せず）で固定した状態である。図９（Ｂ）のようにロックキャップ５９を外し、針カバー５４を湾曲針５２から外して、湾曲針５２をポート（図示せず）へ穿刺する。使用後に図９（Ｃ）のように針カバー５１を、チューブ５６に沿って、針基５３方向にスライドさせる。図９（Ｄ）のように図４（Ｅ）と同様に、翼５５を第二の側壁３４の間に折りたたんで固定し、湾曲針５２を係止部３５（凸部３５）に固定する。
以上のように、湾曲針５２の使用後においては前記係止部３５に固定して、湾曲針５２が再びハウジング３２の外に露出しないようにハウジング３２内に固定できる。
本発明の前記針カバー３１は、薬液注入装置５０のチューブ５６を第二の底壁３９を構成する二つの底壁の一方（チューブを挿通する側）のみに形成した円形の開口部４１に通しているので、薬液注入装置５０のチューブ５６の長さ方向から湾曲針５１の針基５３方向に亘って移動させるのみで、湾曲針５２が再びハウジング３２の外に露出しないようにハウジング３２内に固定できるので、前記針カバー１（前記チューブ２６に略Ｌ字状の開口部１１を通して、前記針基２３から前記チューブ２６の長さ方向に亘って移動でき、チューブ２６の外周に沿って回転でき、チューブ２６の長さ方向に向きを変えることができる）と比較して、操作が容易である。
【００１２】
図１１は、本発明の翼付湾曲針用の誤刺防止針カバーの一例を示す概略図［（Ａ）は正面図、（Ｂ）は平面図、（Ｃ）は底面図、（Ｄ）は左側面図、（Ｅ）は右側面図］、図１２は図１１の誤刺防止針カバーの斜視図［（Ａ）は全体図、（Ｂ）は（Ａ）Ａ−Ａ’断面図］である。図１１の本発明の翼付湾曲針用の誤刺防止針カバー６１（以下針カバー６１と略記する）は、前記図１の針カバー１と前記図６の針カバー３１の前記第一の底壁８、３８（長い底壁８Ｌ、３８Ｌ）からこれに隣接する第二の底壁９、３９に代えて、ハウジング６２を構成する第一の底壁６８（長い底壁６８Ｌ）からこれに隣接する第二の底壁６９を肉厚の壁面Ｗを形成し、この壁面Ｗ内に溝部７０を形成したものである。針カバー６１は溝部７０を形成することにより、持ちやすくなり（作業者の指を係止しやすくなり）、操作性が大幅に向上する。溝部７０の形状は、作業者の指が係止できる形状であれば、例えば湾曲状（図１１参照）、半円状、矩形状、またはこれらを二個形成した形状等、何でも良い。針カバー６１は、以上の点が針カバー１、３１と異なるのみで構成材料、その他の形態、同形態の定義は実質的に同じであるから、詳細な説明は省略する。
また針カバー６１の開口部７１は、図６の針カバー３１の開口部４１と同様に略円形状（楕円状も含む）、矩形状（正方形状も含む）（要するにチューブが挿通できれば形状は何でも良い）に形成しているが、図１の針カバー３１の開口部４１と同様に略Ｌ字状に形成しても良い。また針カバー６１の前記溝部７０は、前記図１の針カバー１と前記図６の針カバー３１の前記第一の底壁８、３８（長い底壁８Ｌ、３８Ｌ）からこれに隣接する第二の底壁９、３９に亘って形成することもできる。また前記溝部７０は前記第一の底壁８、３８、６８又は第二の底壁９、３９、３９（の壁面Ｗ）のどちらか一方に形成しても良い。
【００１３】
【発明の作用効果】
以上説明したように本発明の針カバー１、３１、６１及び針カバー１、３１、６１を装着した翼付湾曲針２１、５１を有する薬液注入装置２０、５０は、使用前は翼２５を従来のように他の部品（例えば紙テープ等）により固定する必要がないので、作業性の向上が期待でき、他の部品等も不要となる。
使用後は湾曲針２２、５２に針カバー２４、５４を再装着する必要がないので、作業者等への誤刺の機会が大幅に減少し、使用上の安全性が大幅に向上する。またハウジング２、３２、６２に溝部７０を形成することにより、持ちやすくなり（作業者の指を係止しやすくなり）、操作性が大幅に向上する。
【図面の簡単な説明】
【図１】本発明の翼付湾曲針用の誤刺防止針カバーの一例を示す概略図［（Ａ）は正面図、（Ｂ）は平面図、（Ｃ）は底面図、（Ｄ）は左側面図、（Ｅ）は右側面図］
【図２】図１の誤刺防止針カバーの斜視図［（Ａ）は全体図、（Ｂ）は（Ａ）Ａ−Ａ’断面図］
【図３】図１（図２）の誤刺防止針カバーを装着した翼付湾曲針を有する薬液注入装置の概略図
【図４】本発明の翼付湾曲針用の誤刺防止針カバーと該誤刺防止針カバーを装着した翼付湾曲針を有する薬液注入装置の使用状態図
【図５】図４の一部拡大図
【図６】本発明の翼付湾曲針用の誤刺防止針カバーの一例を示す概略図［（Ａ）は正面図、（Ｂ）は平面図、（Ｃ）は底面図、（Ｄ）は左側面図、（Ｅ）は右側面図］
【図７】図６の誤刺防止針カバーの斜視図［（Ａ）は全体図、（Ｂ）は（Ａ）Ａ−Ａ’断面図］
【図８】図６（図７）の誤刺防止針カバーを装着した翼付湾曲針を有する薬液注入装置の概略図
【図９】本発明の翼付湾曲針用の誤刺防止針カバーと該誤刺防止針カバーを装着した翼付湾曲針を有する薬液注入装置の使用状態図
【図１０】図９の一部拡大図
【図１１】本発明の翼付湾曲針用の誤刺防止針カバーの一例を示す概略図［（Ａ）は正面図、（Ｂ）は平面図、（Ｃ）は底面図、（Ｄ）は左側面図、（Ｅ）は右側面図］
【図１２】図１１の誤刺防止針カバーの斜視図［（Ａ）は全体図、（Ｂ）は（Ａ）Ａ−Ａ’断面図］
【図１３】従来の翼付湾曲針を有する薬液注入装置の概略図
【符号の説明】
１、３１、６１  誤刺防止針カバー
２、３２、６２  ハウジング
３、３３、６３  第一の側壁
４、３４、６４  第二の側壁
５、３５、６５  針の係止部（凸部）
６、３６、６６  第一の開口部
７、３７、６７  第二の開口部
８、３８、６８  第一の底壁
８Ｓ、３８Ｓ、６８Ｓ  短い第一の底壁
８Ｌ、３８Ｌ、６８Ｌ  長い第一の底壁
９、３９、６９  第二の底壁
７０  溝部
１１、４１、７１  第二の底壁の開口部
２０、５０  薬液注入装置
２１、５１  誤刺防止針カバーを備えた翼付湾曲針
２２、５２  湾曲針
２３、５３  針基
２４、５４  針カバー
２５、５５  翼
２６、５６  チューブ
２７、５７  クランプ
２８、５８  コネクタ
２９、５９  ロックキャップ
【図１】
0004629864.tif 000002
【図２】
0004629864.tif 000003
【図３】
0004629864.tif 000004
【図４】
0004629864.tif 000005
【図５】
0004629864.tif 000006
【図６】
0004629864.tif 000007
【図７】
0004629864.tif 000008
【図８】
0004629864.tif 000009
【図９】
0004629864.tif 000010
【図１０】
0004629864.tif 000011
【図１１】
0004629864.tif 000012
【図１２】
0004629864.tif 000013
【図１３】
0004629864.tif 000014